(57)【特許請求の範囲】
【請求項１】
産業機械の移動部を正面側から覆うセンターカバーと、該センターカバーの側方に設けられて前記移動部の側方を正面側から覆う複数枚のサイドカバーとを備え、複数枚の前記サイドカバーは、前記移動部の側方を正面側から覆いつつ前記移動部の移動に伴うセンターカバーの移動を許容するよう、互いに重ね合わせ可能かつスライド可能とされたテレスコピックカバーであって、
前記センターカバーと、前記複数枚のサイドカバーのうちのセンターカバーに隣接する内端側カバーとは、それぞれが共通する接続金具を介して前記移動部に接続され、
前記接続金具は、内端側カバーの背面側に配置されて前記移動部に固定される金具本体と、当該接続金具とセンターカバーとの連結部を補強する補強金具とからなり、
前記補強金具は、金具本体とセンターカバーとの間に介装されると共に、金具本体よりも正面側に突出して設けられ、その突出部分に、内端側カバーの内端部が正面側から着脱自在とされ、
前記金具本体は、内端側カバーの外端部に係脱自在とされたことを特徴とするテレスコピックカバー。
【発明の詳細な説明】
【技術分野】
【０００１】
本発明は、産業機械の移動部を正面側から覆うセンターカバーと、移動部の側方を正面側から覆う複数枚のサイドカバーとを備えたテレスコピックカバーに関するものである。
【背景技術】
【０００２】
例えば、主軸頭を有して金属を切削する切削機械などの産業機械のうち、その主軸頭などが移動可能とされた機械では、金属の切粉などが主軸頭などを有する移動部の移動機構に侵入するのを防止するよう、移動部を露出させつつその周囲を覆うと共に、移動部の移動に追随するテレスコピックカバーを設けることがある。このテレスコピックカバーは、移動部の主軸頭などを露出させつつ一体的に移動して周囲を覆うセンターカバーと、このセンターカバーの側方に設けられて移動部の側方を覆う複数枚のサイドカバーとを備えている。
【０００３】
複数枚のサイドカバーは、移動部の側方を覆いつつ移動部及びセンターカバーの移動を許容するよう、互いに重ね合わせ可能かつスライド可能とされると共に、複数枚のうちの内端側カバーがセンターカバー及び移動部と一体に移動可能とされる。さらに、内端側カバーをセンターカバー及び移動部と一体に移動させるための構成としては、内端カバーの背面に移動部を接続すると共に、内端側カバーの内端部にセンターカバーを接続した構成を採用することが多い。
【０００４】
ただ、複数枚のサイドカバーは、重なり合う部分の隙間を閉じて金属の切粉などの浸入を阻止しつつ、互いにスライドさせる構造であり、内端側カバーの正面側から背面側の移動部にボルト接合すると、正面側に突出するボルトが邪魔になって、サイドカバーをスライドさせることができない。このような問題を解消すべく、内端カバーをその背面側だけで移動部にボルト接続することが多いが、この場合、内端カバーと移動部との接続を正面側から解除してテレスコピックカバーを開くことができず、背面側のメンテナンスをするのが容易ではない。
【０００５】
これに対して、例えば特許文献１は、内端カバーの接続部を正面側に設けたテレスコピックカバーを開示している。図５に示すように、特許文献１のテレスコピックカバーは、ブラケット１０１を介して移動部（Ｘ軸移動コラム）１０２にセンターカバー（Ｘ軸移動枠体）１０３を取り付け、カバー正面側で、センターカバー１０３に内端側カバー（最前部のカバー）１０４の内端部をボルト固定している。これにより、移動部１０２の移動に伴ってセンターカバー１０３が移動し、このセンターカバー１０３の動きに追従して内端側カバー１０４が移動する。
【先行技術文献】
【特許文献】
【０００６】
【特許文献１】特開平０９−２２５７７７号公報（段落番号０００７、００１３、図２）
【発明の概要】
【発明が解決しようとする課題】
【０００７】
ところが、特許文献１のテレスコピックカバーは、ブラケットを介して移動部にセンターカバーを取り付けると共に、このセンターカバーにサイドカバーの内端側カバーを取り付けているので、センターカバーを取り外すには、サイドカバーについても一緒に取り外す必要があり、その分、移動部のメンテナンスに要する工数が多くなりやすい。
【０００８】
本発明は、サイドカバーを取り外すことなくセンターカバーだけを取り外すことのできるテレスコピックカバーの提供を目的とする。
【課題を解決するための手段】
【０００９】
上記目的を達成するために、本発明に係るテレスコピックカバーは、産業機械の移動部を正面側から覆うセンターカバーと、このセンターカバーの側方に設けられて移動部の側方を正面側から覆う複数枚のサイドカバーとを備えたものであり、その複数枚のサイドカバーを、移動部の側方を正面側から覆いつつ移動部の移動に伴うセンターカバーの移動を許容するよう、互いに重ね合わせ可能かつスライド可能としたものである。さらに、そのセンターカバーと、複数枚のサイドカバーのうちのセンターカバーに隣接する内端側カバーとは、それぞれを接続金具を介して移動部に接続したものである。
【００１０】
上記構成によれば、センターカバー及び内端側カバーのそれぞれを接続金具を介して移動部に接続するので、センターカバー及びサイドカバーのうちのセンターカバーだけを移動部から取り外すことができる。したがって、センターカバーを取り外して移動部のメンテナンスをする際に、サイドカバーを一緒に取り外す必要がなく、その分、移動部のメンテナンスに要する工数を少なくすることができる。
【００１１】
しかも、センターカバー及び内端側カバーを個別に移動部に接続するので、サイドカバーの移動に伴う慣性力がそのままセンターカバーに作用するのを防止して、慣性力によるセンターカバーの撓みを抑えることができる。これにより、センターカバーの剛性を高めて撓みを抑える必要がない分、センターカバーを極力軽くすることができ、テレスコピックカバーを移動させるのに要する力を小さくすることができる。
【００１２】
また、センターカバー及び内端側カバーを共通する接続金具を介して移動部に接続し、接続金具を、内端側カバーの背面側に配置して移動部に固定する金具本体と、この接続金具とセンターカバーとの連結部を補強する補強金具とから構成し、金具本体とセンターカバーとの間に補強金具を介装するようにしてもよい。
【００１３】
この構成によれば、センターカバー及び内端側カバーと移動部との接続に、共通の接続金具を用いるので、個別の接続金具を省略することができ、しかも、移動部に固定した接続金具の金具本体とセンターカバーとの間に補強金具を介装するので、補強金具を緩衝材として機能させることができる。これにより、共通の接続金具を介してセンターカバー側に伝わろうとするサイドカバーの慣性力や、接続金具に接続されたセンターカバー自体の慣性力をある程度低減させることができ、これらの慣性力によるセンターカバーの撓みを低減することができる。
【００１４】
また、補強金具を金具本体よりも正面側に突出して設け、その突出部分に、内端側カバーの内端部を正面側から着脱自在とするようにしてもよい。
【００１５】
この構成によれば、接続金具のうちの補強金具を金具本体よりも正面側に突出させるので、この補強金具のカバー正面側への突出部分を利用して、カバーよりも正面側で接続金具に内端側カバーを着脱することができる。これにより、カバー正面側で、接続金具と内端側カバーとの接続を解除してテレスコピックカバーを開くことができ、カバー背面側のメンテナンスを容易にすることができる。
【００１６】
また、金具本体を内端側カバーの外端部に係脱自在としてもよい。
【００１７】
この構成によれば、接続金具の補強金具に内端部を接続した内端カバーの外端部に、接続金具の金具本体を係合させることができるので、内端側カバーの内端部に加えて外端部をも接続金具で支持することができる。これにより、内端側カバーの撓みを抑えてサイドカバーとしての機能を高めつつ、内端側カバーを薄板化して軽量化を図ることができ、テレスコピックカバーが作動するする際の慣性力を抑えることができる。
【発明の効果】
【００１８】
以上のとおり、本発明によると、センターカバー及び内端側カバーのそれぞれを接続金具を介して移動部に接続するので、センターカバー及びサイドカバーのうちのセンターカバーだけを移動部から取り外すことができ、サイドカバーを一緒に取り外す必要がない分、移動部のメンテナンスに要する工数を少なくすることができる。
【図面の簡単な説明】
【００１９】
【図１】本発明に係るテレスコピックカバーの正面図
【図２】テレスコピックカバーの水平断面図
【図３】図２の要部拡大図
【図４】（ａ）は金具本体の平面図、（ｂ）は金具本体の正面図
【図５】従来のテレスコピックカバーの水平断面図
【発明を実施するための形態】
【００２０】
以下、本発明に係るテレスコピックカバーを実施するための形態について、図面を用いて説明する。
【００２１】
図１〜図４に示すように、テレスコピックカバー１は、例えば、金属を切削する切削機械などの産業機械において、主軸頭２ａなどを有する移動部２の移動機構に金属の切粉などが侵入するのを防止するためのものであり、移動部２を正面側から覆うセンターカバー３と、センターカバー３の側方に設けられて移動部２の側方を正面側から覆う複数枚のサイドカバー４ａ、４ｂとを備えたものである。
【００２２】
さらに、テレスコピックカバー１は、その複数枚のサイドカバー４ａ、４ｂが、移動部２の側方を正面側から覆いつつ移動部２の移動に伴うセンターカバー３の移動を許容するよう、互いに重ね合わせ可能かつスライド可能とされ、センターカバー３と、複数枚のサイドカバー４ａ、４ｂのうちのセンターカバー３に隣接する内端側カバー４ａとが、共通する接続金具５を介して移動部２に接続されたものである。
【００２３】
センターカバー３は、例えば金属製のフレーム３ａに複数枚のセンターテレスコピックカバー６を設けた構造とされ、移動部２の主軸頭２ａなどを外側に露出させつつその周囲を覆うと共に、主軸頭２ａなどの上下方向の移動を許容している。さらに、センターカバー３は、上下に配置されたレールに沿ってフレーム３ａが左右方向に移動し、移動部２の左右方向の移動に追随するようになっている。
【００２４】
サイドカバー４ａ、４ｂは、例えば金属製の板材の左右両端部を折曲した構造とされ、パンタグラフ機構（図示せず）などによって連動して、レールに沿って順次異なる移動量で移動することにより、複数枚のサイドカバー４ａ、４ｂが全体として左右方向に伸縮する。このサイドカバー４ａ、４ｂは、センターカバー３の左右両側に設けられ、複数枚のうちの内端側カバー４ａがセンターカバー３と一体に左右方向に移動して、全体として左右方向に伸縮することにより、センターカバー３の移動を許容する。
【００２５】
サイドカバー４ａ、４ｂのうちのサイドカバー４ｂの左右方向外側には、カバー収容部７が設けられ、互いに重なり合って全体として縮んだサイドカバー４ａ、４ｂを収容するようになっている。
【００２６】
接続金具５は、ブラケット８を介して移動部２に固定される金具本体９と、接続金具５とセンターカバー３との連結部を補強する補強金具１０とからなり、その金具本体９が内端側カバー４ａの背面側に配置されると共に、補強金具１０が金具本体９とセンターカバー３との間に介装される。
【００２７】
金具本体９は、略帯状の板材を折り曲げ形成してなり、左右方向で外端側に、ブラケット８との接合部１１が形成されると共に、左右方向で内端側に、背面側にＬ形に突出する折曲部１２が形成されている。この金具本体９は、折曲部１２とセンターカバー３との間に補強金具１０を介装しつつ、センターカバー３の左右両側に上下一対ずつ合計４箇所に設けられる。
【００２８】
金具本体９の接合部１１は、金具本体９の左右方向で外端部のうち、上下方向で内端側カバー４ａの中央側に位置する側縁部１３を残した部位を背面側に突出するよう段状に形成してなり、この接合部１１をブラケット８にボルト接合することにより、金具本体９がブラケット８を介して移動部２に固定される。また、金具本体９の側縁部１３は、接合部１１よりも外端側に突出し、内端側カバー４ａのカバー外端部１４に形成された挿入穴に挿入されて、内端側カバー４ａの外端部を前後方向に支持するようになっている。
【００２９】
補強金具１０は、センターカバー３の前後方向厚さよりも幅広で、センターカバー３の上下方向長さとほぼ同じ長さの板材とされ、正面側縁部１６が金具本体９よりも正面側に突出するよう配置される。
【００３０】
この補強金具１０がセンターカバー３の側面と金具本体９の折曲部１２との間に介装されることにより、移動部２に固定された左右の金具本体９が補強金具１０を介してセンターカバー３の左右に接続され、移動部２の左右方向の移動に伴わせてセンターカバー３を移動させる。ここで、補強金具１０は、金具本体９の折曲部１２及びセンターカバー３の側面に溶接固定されている。
【００３１】
補強金具１０の正面側縁部１６は、その先端縁が左右方向外向きに突出する断面Ｌ形に構成され、正面側への突出部分としての正面側縁部１６に、内端側カバー４ａのカバー内端部１７が嵌まってネジ止めされている。これにより、接続金具５に内端側カバー４ａが保持され、接続金具５の正面側縁部１６に対して、内端側カバー４ａが正面側から着脱自在とされている。
【００３２】
上記構成によれば、センターカバー３で移動部２を正面側から覆うと共に、センターカバー３の側方に複数枚のサイドカバー４ａ、４ｂを設けるので、サイドカバー４ａ、４ｂを全体として左右方向に伸縮させて移動部２の左右方向の移動を許容しつつ、移動部２への金属の切粉などの侵入を防止することができる。
【００３３】
また、内端側カバー４ａを接続金具５で保持すると共に、補強金具１０のうちの正面側縁部１６に対して内端側カバー４ａを着脱自在にするので、サイドカバー４ａ、４ｂを正面側から引き戸のように開閉することができ、サイドカバー４ａ、４ｂを開いて、産業機械のうちのテレスコピックカバー１の背面側の部分のメンテナンスを容易にすることができる。
【００３４】
また、センターカバー３の側面と金具本体９の折曲部１２との間に補強金具１０を介装するので、移動部２の移動に伴って幅狭の金具本体９からセンターカバー３に作用する力を緩和することができる。これにより、センターカバー３の剛性を過度に高めることなく軽量化を図りつつ、センターカバー３が変形してセンターテレスコピックカバー６の移動を阻害するのを防止することができる。
【００３５】
なお、参考として、接続金具５は、センターカバー３及び内端側カバー４ａのそれぞれを移動部２に接続するものであればよく、接続金具５に補強金具１０を設けることなく、センターカバー３及び内端側カバー４ａのそれぞれに金具本体９を直接接続するようにしてもよい。
【符号の説明】
【００３６】
１      テレスコピックカバー
２      移動部
２ａ    主軸頭
３      センターカバー
３ａ    フレーム
４ａ、４ｂ  サイドカバー
５      接続金具
６      センターテレスコピックカバー
７      カバー収容部
８      ブラケット
９      金具本体
１０    補強金具
１１    接合部（金具本体）
１２    折曲部（金具本体）
１３    側縁部（金具本体）
１４    カバー外端部
１６    正面側縁部
１７    カバー内端部
【図１】
0006001510.tif 000002
【図２】
0006001510.tif 000003
【図３】
0006001510.tif 000004
【図４】
0006001510.tif 000005
【図５】
0006001510.tif 000006